(57)【要約】      （修正有）【課題】ディスク状記録媒体をより確実にセンタリングすることができ、ディスク状記録媒体を所定位置にセットしてしっかりと確実に保持することができる装置を提供する。【解決手段】ターンテーブル９０とチャッキンブ部材２００とで光学ディスクＤを挟持した状態で回転駆動されるターンテーブル装置において、ターンテーブル９０は、光学ディスクＤの中心孔ｄに嵌合されるディスク嵌合部５ａと、その中心孔の周縁部を支えるディスク支持部５ｂと、ディスク嵌合部の外周面から爪部が突出されるセンタリング部材９６と、そのセンタリング部材９６をディスク嵌合部５ａの半径方向外側に付勢するコイルバネと、回転駆動により発生する遠心力でセンタリング部材９６を半径方向外側に押圧する重り９１と、を有する。【選択図】        図１
2006092669.tif 000002
【特許請求の範囲】
【請求項１】
ディスク状記録媒体が装着されるターンテーブルと、
前記ターンテーブルに装着された前記ディスク状記録媒体を当該ターンテーブルとの間で挟持するチャッキング部材と、を備え、
前記ターンテーブルと前記チャッキング部材とで前記ディスク状記録媒体を挟持した状態で回転駆動されるターンテーブル装置において、
前記ターンテーブルは、前記ディスク状記録媒体の中心孔に嵌合されるディスク嵌合部と、前記中心孔の周縁部を支えるディスク支持部と、前記ディスク嵌合部の外周面から爪部が突出されるセンタリング部材と、当該センタリング部材を前記ディスク嵌合部の半径方向外側に付勢する弾性部材と、前記回転駆動により発生する遠心力で前記センタリング部材を前記半径方向外側に押圧する重りと、を有することを特徴とするターンテーブル装置。
【請求項２】
請求項１記載のターンテーブル装置において、
前記センタリング部材と前記弾性部材と前記重りとを１組として、その複数組を前記ディスク嵌合部の周方向に適宜な間隔をあけて複数箇所に配置して設けたことを特徴とするターンテーブル装置。
【請求項３】
請求項２記載のターンテーブル装置において、
前記ディスク嵌合部は合成樹脂によって形成すると共に、当該ディスク嵌合部と一体に前記複数個のセンタリング部材を弾性を付与して設け、当該複数個のセンタリング部材と前記複数個の重りとの間に前記弾性部材をそれぞれ介在させ、それぞれの重りに働く遠心力を弾性部材を介してセンタリング部材にそれぞれ作用させるようにしたことを特徴とするターンテーブル装置。
【請求項４】
請求項２記載のターンテーブル装置において、
前記ディスク嵌合部は合成樹脂によって形成すると共に、当該ディスク嵌合部と一体に前記複数個のセンタリング部材を弾性を付与して設け、当該複数個のセンタリング部材と前記複数個の弾性部材との間に前記重りをそれぞれ介在させ、それぞれの重りに働く遠心力をセンタリング部材に直接作用させるようにしたことを特徴とするターンテーブル装置。
【請求項５】
請求項２記載のターンテーブル装置において、
前記ディスク支持部は合成樹脂によって形成すると共に、当該ディスク支持部と一体に前記複数個のセンタリング部材を弾性を付与して設け、当該複数個のセンタリング部材と前記複数個の重りとの間に前記弾性部材をそれぞれ介在させ、それぞれの重りに働く遠心力を弾性部材を介してセンタリング部材にそれぞれ作用させるようにしたことを特徴とするターンテーブル装置。
【請求項６】
請求項２記載のターンテーブル装置において、
前記ディスク支持部は合成樹脂によって形成すると共に、当該ディスク支持部と一体に前記複数個のセンタリング部材を弾性を付与して設け、当該複数個のセンタリング部材と前記複数個の弾性部材との間に前記重りをそれぞれ介在させ、それぞれの重りに働く遠心力をセンタリング部材に直接作用させるようにしたことを特徴とするターンテーブル装置。
【請求項７】
請求項２記載のターンテーブル装置において、
前記複数個のセンタリング部材は、前記ディスク嵌合部及び前記ディスク支持部とは別体に設け、当該複数個のセンタリング部材と前記複数個の重りとの間に前記弾性部材をそれぞれ介在させ、それぞれの重りに働く遠心力を弾性部材を介してセンタリング部材にそれぞれ作用させるようにしたことを特徴とするターンテーブル装置。
【請求項８】
請求項２記載のターンテーブル装置において、
前記複数個のセンタリング部材は、前記ディスク嵌合部及び前記ディスク支持部とは別体に設け、当該複数個のセンタリング部材と前記複数個の弾性部材との間に前記重りをそれぞれ介在させ、それぞれの重りに働く遠心力をセンタリング部材に直接作用させるようにしたことを特徴とするターンテーブル装置。
【請求項９】
ディスク状記録媒体が装着されるターンテーブルと、当該ターンテーブルに装着された前記ディスク状記録媒体を当該ターンテーブルとの間で挟持するチャッキング部材と、を有するターンテーブル装置と、
前記ターンテーブル装置を回転駆動するスピンドルモータと、
前記ターンテーブル装置に装着された前記ディスク状記録媒体に対して情報信号の読み取り及び／又は書き込みを行うピックアップ装置と、
前記ピックアップ装置を前記ディスク状記録媒体の半径方向に移動させるピックアップ移動機構と、を備えたディスクドライブ装置において、
前記ターンテーブルは、前記ディスク状記録媒体の中心孔に嵌合されるディスク嵌合部と、前記中心孔の周縁部を支えるディスク支持部と、前記ディスク嵌合部の外周面から爪部が突出されるセンタリング部材と、当該センタリング部材を前記ディスク嵌合部の半径方向外側に付勢する弾性部材と、前記回転駆動により発生する遠心力で前記センタリング部材を前記半径方向外側に押圧する重りと、を有することを特徴とするディスクドライブ装置。
【発明の詳細な説明】
【技術分野】
【０００１】
本発明は、光ディスクや光磁気ディスク、磁気ディスク等のディスク状記録媒体が着脱可能に装着されて回転駆動されるターンテーブル装置、及び当該ターンテーブル装置に装着されて回転駆動されるディスク状記録媒体の情報記録面に沿ってピックアップ装置の記録及び／又は再生ヘッドを移動させて情報信号の記録（書込み）及び／又は再生（読取り）を行うディスクドライブ装置に関するものである。
【背景技術】
【０００２】
従来のこの種のディスクドライブ装置としては、例えば、特許文献１に記載されているようなものがある。特許文献１には、ターンテーブルとクランパとの間で光ディスクをクランプする光ディスククランプ装置に関するものが記載されている。
【０００３】
この特許文献１に記載された光ディスククランプ装置は、「光ディスク中心部を支持して回転させるターンテーブルを備え且つローディング位置とアンローディング位置との間を上下回動自在に構成されたスピンドルモータと、前記ターンテーブルの上方において上下動可能に支持され且つローディング位置においてターンテーブル上面と磁着するクランパと、該クランパを上下動可能に嵌合させる保持穴及びクランパの脱落防止用フランジ部の下面と接することによりクランパを吊下げ保持する保持面を備えたクランパホルダと、を備え、前記スピンドルモータがローディング位置に上昇したときに前記ターンテーブル上の光ディスクを前記ターンテーブルと前記クランパとの間の磁石吸引力により挟持する光ディスククランプ機構、を有した光ディスククランプ装置において、前記クランパホルダの保持面を、ローディング位置にある光ディスク面に対して傾斜させた」ことを特徴としている。
【０００４】
このような構成を有する光ディスククランプ装置によれば、「光ディスクを保持するトレイの排出動作に連動させてクランパとターンテーブルとの吸着を強制解除することなく、スピンドルモータの下降動作に連動したクランパの下降時にクランパホルダの保持面に対してクランパの脱落防止用フランジ部を片当たりさせて、片当り部から強制剥離させることにより、格別大きな負荷をかけることなく剥離を実現し、その結果ローディングモータへの負荷を軽減し、緊急イジェクトも容易に行える」という効果が期待される。
【０００５】
従来のこの種のディスクドライブ装置の他の例としては、例えば、特許文献２に記載されているようなものもある。特許文献２には、ＣＤディスク等をターンテーブル上に搭載し、騒音や振動を発生することなくクランプする機構を備えたディスクドライブ装置に関するものが記載されている。
【０００６】
この特許文献２に記載されたディスクドライブ装置は、「ディスクを搭載し駆動するターンテーブルと、該ターンテーブルに対向して設けられ前記ターンテーブルと共同して前記ディスクをクランプするディスククランパと、該ディスククランパを回転可能に保持するクランパプレートを備えたディスクドライブ装置であって、前記ディスククランパの前記ディスクと接触する面及び前記クランパプレートと接触する面に、弾性部材を設けた」ことを特徴としている。
【０００７】
このような構成を有するディスクドライブ装置によれば、「ディスククランパのディスクと接触する面やクランパプレートと接触する面、あるいはクランパプレートのディスククランパが装着される切り欠き部を、ゴムあるいは熱可塑性エラストマからなる弾性部材で構成しているので、従来のディスクドライブ装置よりも騒音や振動の発生を低く押えることができる」等の効果が期待される。
【０００８】
また、従来のこの種のディスクドライブ装置の更に他の例としては、例えば、特許文献３に記載されているようなものもある。特許文献３には、ＣＤ−ＲＯＭ等のデータの読み書きにレーザ光を利用する、高速回転のディスクドライブ装置に関するものが記載されている。
【０００９】
この特許文献３に記載されたディスクドライブ装置は、「筐体内に、ディスクを着脱可能に保持するターンテーブルと、ターンテーブルを回転させるスピンドルモータと、ディスクをターンテーブルに固定するクランパと、ディスクをターンテーブルから外す際にクランパを保持し、且つ、ディスクの作動状態においてディスクの直上に位置するクランパフォルダとを備える、ディスクドライブ装置であって、該クランパフォルダは、作動状態におけるディスク面とクランパフォルダで挟まれた空間と、クランパフォルダについてディスクとは反対側に広がる空間とを連通する、孔、又はスリット、あるいは切り欠きを有する」ことを特徴としている。
【００１０】
このような構成を有するディスクドライブ装置によれば、「ディスク面上の負圧発生が効果的に抑制されるため、高速運転するＣＤ−ＲＯＭドライブ、ＤＶＤドライブ等において、ディスクの変形や振動を減少させられる」等の効果が期待される。
【特許文献１】特開２００４−１１８８９７号公報
【特許文献２】特開２００３−３３１４９２号公報
【特許文献３】特開２００３−１９６９０４号公報
【００１１】
このような従来のディスクドライブ装置に用いられているターンテーブル装置の例を、図６８〜図７２に示す。図６８〜図７２は、ターンテーブルとチャッキング部材とが協働してディスクを保持するようにしたターンテーブル装置の従来例を示すものである。
【００１２】
図６８〜図７２Ａ，Ｂに示すように、ターンテーブル装置３１０は、ターンテーブル３２０とチャッキング部材３３０とから構成されている。ターンテーブル３２０は、ディスクＤの中心孔ｄに嵌合されるディスク嵌合部３２１と、このディスク嵌合部３２１と一体に形成されると共にディスクＤの中心孔ｄの周縁部を支えるディスク支持部３２２と、ディスク嵌合部３２１の３箇所に設けられた３個のセンタリング部材３２３と、ディスク嵌合部３２１の上面に固定された吸着板３２４とから構成されている。そして、ディスク支持部３２２の上面には、リング状をなすクッション材３２５が設けられている。
【００１３】
３個のセンタリング部材３２３は、ディスク嵌合部３２１の側面部をコ字状に切り出すと共にその肉厚を他の部分よりも薄くして弾性を持たせることによって形成されている。この３個のセンタリング部材３２３が持つ半径方向外側へ向かう弾性により、ディスクＤがターンテーブル３２０の中央にセンタリングされる。また、チャッキング部材３３０には、ターンテーブル３２０の吸着板３２４を吸着するためのマグネット３３１とヨーク板３３２とが内蔵されている。これらマグネット３３１及びヨーク板３３２と吸着板３２４との吸着作用によりターンテーブル３２０とチャッキング部材３３０とでディスクＤを挟持している。このようにしてターンテーブル装置３１０でディスクＤを保持し、そのディスクＤを所定の速度で回転するように構成されている。
【００１４】
しかしながら、近年のディスクドライブ装置では、高密度記録、高速度処理等の高性能化が要求されている。そのため、ディスク状記録媒体の回転数を高める必要があるが、ディスク回転数が高くなると、それに応じてディスク状記録媒体に付与される遠心力が増大する。このとき、ディスク状記録媒体の重心位置が偏心している場合には、その重心が偏心している方向に遠心力によってディスク状記録媒体が引っ張られ、コイルバネのバネ力に抗してディスク状記録媒体に位置ズレが生じてしまう。その結果、ディスク状記録媒体のセンタリング精度が低下することとなり、これにより、ピックアップ装置による情報信号の読み出しや、書き込み精度が悪化するという課題があった。
【発明の開示】
【発明が解決しようとする課題】
【００１５】
解決しようとする問題点は、従来のディスクドライブ装置では、ディスク回転の高速化に伴う遠心力の増加によってセンタリング部材３２３によるディスク状記録媒体の保持力が低下し、ディスク状記録媒体のセンタリング精度が低下してピックアップ装置による情報信号の読み出しや、書き込み精度が悪化するという課題があった。
【課題を解決するための手段】
【００１６】
上述したような課題等を解決し、上記目的を達成するために、本出願のターンテーブル装置は、ディスク状記録媒体が装着されるターンテーブルと、そのターンテーブルに装着されたディスク状記録媒体をターンテーブルとの間で挟持するチャッキング部材と、を備え、ターンテーブルとチャッキング部材とでディスク状記録媒体を挟持した状態で回転駆動されるターンテーブル装置において、ターンテーブルは、ディスク状記録媒体の中心孔に嵌合されるディスク嵌合部と、その中心孔の周縁部を支えるディスク支持部と、ディスク嵌合部の外周面から爪部が突出されるセンタリング部材と、そのセンタリング部材をディスク嵌合部の半径方向外側に付勢する弾性部材と、回転駆動により発生する遠心力でセンタリング部材を半径方向外側に押圧する重りと、を有することを最も主要な特徴としている。
【００１７】
本出願のターンテーブル装置は、センタリング部材と弾性部材と重りとを１組として、その複数組をディスク嵌合部の周方向に適宜な間隔をあけて複数箇所に配置して設けたことを特徴としている。
【００１８】
本出願のターンテーブル装置は、ディスク嵌合部は合成樹脂によって形成すると共に、そのディスク嵌合部と一体に複数個のセンタリング部材を弾性を付与して設け、その複数個のセンタリング部材と複数個の重りとの間に弾性部材をそれぞれ介在させ、それぞれの重りに働く遠心力を弾性部材を介してセンタリング部材にそれぞれ作用させるようにしたことを特徴としている。
【００１９】
本出願のターンテーブル装置は、ディスク嵌合部は合成樹脂によって形成すると共に、そのディスク嵌合部と一体に複数個のセンタリング部材を弾性を付与して設け、その複数個のセンタリング部材と複数個の弾性部材との間に重りをそれぞれ介在させ、それぞれの重りに働く遠心力をセンタリング部材に直接作用させるようにしたことを特徴としている。
【００２０】
本出願のターンテーブル装置は、ディスク支持部は合成樹脂によって形成すると共に、そのディスク支持部と一体に複数個のセンタリング部材を弾性を付与して設け、その複数個のセンタリング部材と複数個の重りとの間に弾性部材をそれぞれ介在させ、それぞれの重りに働く遠心力を弾性部材を介してセンタリング部材にそれぞれ作用させるようにしたことを特徴としている。
【００２１】
本出願のターンテーブル装置は、ディスク支持部は合成樹脂によって形成すると共に、そのディスク支持部と一体に複数個のセンタリング部材を弾性を付与して設け、その複数個のセンタリング部材と複数個の弾性部材との間に重りをそれぞれ介在させ、それぞれの重りに働く遠心力をセンタリング部材に直接作用させるようにしたことを特徴としている。
【００２２】
本出願のターンテーブル装置は、複数個のセンタリング部材は、ディスク嵌合部及びディスク支持部とは別体に設け、その複数個のセンタリング部材と複数個の重りとの間に弾性部材をそれぞれ介在させ、それぞれの重りに働く遠心力を弾性部材を介してセンタリング部材にそれぞれ作用させるようにしたことを特徴としている。
【００２３】
本出願のターンテーブル装置は、複数個のセンタリング部材は、ディスク嵌合部及びディスク支持部とは別体に設け、複数個のセンタリング部材と複数個の弾性部材との間に重りをそれぞれ介在させ、それぞれの重りに働く遠心力をセンタリング部材に直接作用させるようにしたことを特徴としている。
【００２４】
また、本出願のディスクドライブ装置は、ディスク状記録媒体が装着されるターンテーブルと、そのターンテーブルに装着されたディスク状記録媒体をターンテーブルとの間で挟持するチャッキング部材と、を有するターンテーブル装置と、そのターンテーブル装置を回転駆動するスピンドルモータと、ターンテーブル装置に装着されたディスク状記録媒体に対して情報信号の読み取り及び／又は書き込みを行うピックアップ装置と、そのピックアップ装置をディスク状記録媒体の半径方向に移動させるピックアップ移動機構と、を備えたディスクドライブ装置において、ターンテーブルは、ディスク状記録媒体の中心孔に嵌合されるディスク嵌合部と、その中心孔の周縁部を支えるディスク支持部と、ディスク嵌合部の外周面から爪部が突出されるセンタリング部材と、そのセンタリング部材をディスク嵌合部の半径方向外側に付勢する弾性部材と、回転駆動により発生する遠心力でセンタリング部材を半径方向外側に押圧する重りと、を有することを特徴としている。
【発明の効果】
【００２５】
上述のように構成したことにより、本出願のターンテーブル装置によれば、ターンテーブルとチャッキング部材とを備え、ターンテーブルは、ディスク嵌合部とディスク支持部とセンタリング部材と弾性部材と重りを有する構成としたため、弾性部材の付勢力に加えて重りに付与される遠心力がセンタリング部材に作用することから、ディスク状記録媒体をセンタリング位置に確実にセットし、より強くしっかりと保持することができる。
【００２６】
本出願のターンテーブル装置によれば、センタリング部材と弾性部材と重りとを１組として、その複数組をディスク嵌合部の複数箇所に配置する構成としたため、ターンテーブルが大型化されることなく、センタリング部材によるディスク状記録媒体のセンタリング力を強くして、センタリング位置に確実に保持することができる。
【００２７】
本出願のターンテーブル装置によれば、少なくともディスク嵌合部又はディスク支持部を合成樹脂で形成して複数個のセンタリング部材をディスク嵌合部又はディスク支持部と一体に設けると共に、それぞれセンタリング部材と重りとの間に弾性部材を介在させる構成としたため、それぞれの重りに発生する遠心力を弾性部材を介してセンタリング部材にそれぞれ作用させることができ、複数個のセンタリング部材によるディスク状記録媒体のセンタリング力を増大させて、ディスク状記録媒体をしっかりと確実に保持することができる。
【００２８】
本出願のターンテーブル装置によれば、少なくともディスク嵌合部又はディスク支持部を合成樹脂で形成して複数個のセンタリング部材をディスク嵌合部又はディスク支持部と一体に設けると共に、それぞれセンタリング部材と弾性部材との間に重りを介在させる構成としたため、それぞれの重りに発生する遠心力を直接センタリング部材にそれぞれ作用させることができ、複数個のセンタリング部材によるディスク状記録媒体のセンタリング力を増大させて、ディスク状記録媒体をしっかりと確実に保持することができる。
【００２９】
本出願のターンテーブル装置によれば、複数個のセンタリング部材をディスク嵌合部と別体に設けると共に、それぞれセンタリング部材と重りとの間に弾性部材を介在させる構成としたため、それぞれの重りに発生する遠心力を弾性部材を介してセンタリング部材にそれぞれ作用させることができ、複数個のセンタリング部材によるディスク状記録媒体のセンタリング力を増大させて、ディスク状記録媒体をしっかりと確実に保持することができる。
【００３０】
本出願のターンテーブル装置によれば、複数個のセンタリング部材をディスク嵌合部と別体に設けると共に、それぞれセンタリング部材と弾性部材との間に重りを介在させる構成としたため、それぞれの重りに発生する遠心力を直接センタリング部材にそれぞれ作用させることができ、複数個のセンタリング部材によるディスク状記録媒体のセンタリング力を増大させて、ディスク状記録媒体をしっかりと確実に保持することができる。
【００３１】
また、本出願のディスクドライブ装置によれば、ディスク嵌合部とディスク支持部を有するターンテーブルとスピンドルモータとピックアップ装置とピックアップ移動機構とを備えたディスクドライブ装置において、ターンテーブルには複数個のセンタリング部材と複数個の弾性部材と遠心力により移動してセンタリング部材を押圧する複数個の重りとを設ける構成としたため、弾性部材の付勢力に加えて重りに発生する遠心力をセンタリング部材に押圧力として作用させることができる。その結果、ディスク状記録媒体をより確実にセンタリングすることができ、ディスク状記録媒体を所定位置にセットしてしっかりと確実に保持することができる装置を提供することができる。
【発明を実施するための最良の形態】
【００３２】
ディスク状記録媒体をセンタリングするターンテーブル装置のセンタリング部材に重りの遠心力を作用させ、回転速度の増加に応じてディスク状記録媒体の保持力を増大させて、より確実にセンタリングすることができるターンテーブル装置及び、そのターンテーブル装置が用いられるディスクドライブ装置を、簡単な構成によって実現した。
【実施例１】
【００３３】
以下、本発明の実施の形態を添付図面を参照して説明する。図１〜図６７は、本発明のターンテーブル装置及びディスクドライブ装置の実施の形態の例を示すものである。即ち、図１〜図１０はターンテーブル装置の第１実施例を示す図、図１１は重りの第１実施例を示す図、図１２〜図１７はターンテーブル装置の第２実施例を示す図、図１８は重りの第２実施例を示す図、図１９〜図２５はターンテーブル装置の第３実施例を示す図、図２６は重りの第３実施例を示す図、図２７〜図３２はターンテーブル装置の第４実施例を示す図、図３３は重りの第４実施例を示す図である。
【００３４】
また、図３４〜図３８はターンテーブル装置の第５実施例を示す図、図３９及び図４０は重りの第５実施例を示す図、図４１〜図４６はターンテーブル装置の第６実施例を示す図、図４７及び図４８は重りの第６実施例を示す図、図４９はターンテーブル装置の第７実施例を示す図、図５０〜図５４はターンテーブル装置の第８実施例を示す図、図５５及び図５６は重りの第８実施例を示す図、図５７〜図６７は本発明のディスクドライブ装置の一実施例を示す図である。
【００３５】
本発明の第１の実施例として示すディスクドライブ装置１は、ディスク状記録媒体として、オーディオ情報等の音楽信号やビデオ情報等の映像信号と音楽信号等の情報信号が予め記録された再生専用型の光ディスク、或いはオーディオ情報やビデオ情報等の情報信号が１度だけ記録可能（追記型）若しくは何度でも繰り返して記録可能（書換え型）とされた記録可能型の光ディスクＤを用いることができる。しかしながら、ディスク状記録媒体としては、これに限定されるものではなく、例えば、薄い円盤の表面に磁性薄膜層を形成して特定位置の磁化状態により情報を記憶するようにした磁気ディスク、同様に形成した磁性薄膜層に光ヘッドと磁気ヘッドを使用して情報を書き込み及び読み出すようにした光磁気ディスク、その他のディスク状をなす記憶媒体を適用することができることは勿論である。
【００３６】
このディスクドライブ装置１は、図５７〜図６７に示すように、ベースユニットシャーシ２とベースユニットサブシャーシ３とスピンドルモータ４とターンテーブル５と光学ピックアップ装置６と送りネジ軸７と送りモータ８等を備えて構成されている。ベースユニットシャーシ２は、平板状の平面部２ａと、この平面部２ａの周囲を囲うように外周縁に沿って下面側に突出させて設けた正面壁部２ｂ、背面壁部２ｃ及び左右の側面壁部２ｄ，２ｅとを有し、全体として底の浅い蓋体のような形状とされている。
【００３７】
図５７及び図５８に示すように、ベースユニットシャーシ２の平面部２ａの略中央部には、左右方向へ延びる略長方形をなすヘッド用の開口部１０が設けられている。更に、平面部２ａのヘッド用開口部１０の長手方向の一方には円形の貫通穴１１が設けられている。そして、平面部２ａのヘッド用開口部１０の長手方向と交差する方向の一方である背面側には、同じく左右方向へ延びる長方形のバネ用開口部１２が設けられている。このベースユニットシャーシ２の下面には、図６４及び図６５に示すように、送りモータ８等が収納されるモータ収納部１３と、背面側のサブガイド軸１４とが設けられている。
【００３８】
ベースユニットシャーシ２の貫通孔１１の下面には、スピンドルモータ４が固定されたモータベース板１５が２個の取付ネジ１９によって２箇所で締付固定されている。モータベース板１５は板金製の薄い板材からなり、これにより、全体に弾性を持たせて撓み変形が可能とされている。このモータベース板１５の中央部には、スピンドルモータ４の固定部４ａが嵌合される嵌合孔１５ａが設けられている。
【００３９】
図６２に示すように、スピンドルモータ４は、モータベース板１５に嵌合されて固定される固定部４ａと、この固定部４ａに回転自在に支持される回転部４ｂとから構成されている。スピンドルモータ４の固定部４ａは、例えば、円筒状の軸受スリーブと、この軸受スリーブ内に嵌合固定されたベアリングと、軸受スリーブの外部に嵌合固定された鉄芯等を有している。鉄芯は、円周方向に等角度間隔に設けられた複数の巻芯部を有し、各巻芯部には巻線が所定の巻数を巻き付けられている。
【００４０】
また、スピンドルモータ４の回転部４ｂは、例えば、固定部４ａのベアリングに回転自在に支持された回転軸と、この回転軸を圧入することにより一体に固定された円筒であってリング状のロータ等を有している。ロータの内周面には、リング状をなす回転駆動用のマグネットが接着剤等の固着手段によって貼着固定されている。このマグネットは、鉄芯の巻芯部の数に対応した数の極数を有しており、円周方向に多極に磁化されている。例えば、巻芯部の数を９個とした場合、マグネットの極数は１２極となる（マグネットの極数＝巻芯部の数×４／３）。しかしながら、スピンドルモータ４は、このような構成のものに限定されるものではない。
【００４１】
このスピンドルモータ４の回転部４ｂの中央部に設けられた回転軸４ｃには、ターンテーブル５が圧入等の固着手段により嵌合されて一体に構成されている。このターンテーブル５は、ディスク状記録媒体の一具体例を示す光学ディスクＤの中心孔ｄに嵌合されるディスク嵌合部５ａと、このディスク嵌合部５ａの下端に連続されると共に光学ディスクＤの中心孔ｄの周縁部が載置されるディスク支持部５ｂと、このディスク支持部５ｂに支持された光学ディスクＤのセンタ孔ｄを係止してセンタリングしつつ抜け出しを防止する複数個のセンタリング部材１６等を有している。このターンテーブル５については、後に多数の実施例を挙げて詳細に説明する。
【００４２】
図６１、図６４及び図６５に示すように、ベースユニットシャーシ２のモータ収納部１３は、正面壁部２ｂと平行に延在された横仕切り壁１７と、側面壁部２ｄの内側に配置され且つ横仕切り壁１７と直交する方向に延びる縦仕切り壁１８とを有している。この正面壁部２ｂと横仕切り壁１７と縦仕切り壁１８とで囲まれた四角形の空間部がモータ収納部１３とされている。
【００４３】
送りモータ８は、軸方向に細長く形成されたモータ本体８ａと、このモータ本体８ａに回転自在に支持された回転軸８ｂとを有している。モータ本体８ａは、外周面の２箇所を互いに平行に切り欠いたような二面幅部を有している。このモータ本体８ａの二面幅部を正面壁部２ｂと横仕切り壁１７との間に圧入して挟み込むことにより、送りモータ８がベースユニットシャーシ２のモータ収納部１３内に挿入されて圧入固定されている。送りモータ８の回転軸８ｂは、縦仕切り壁１８に設けた切欠き１８ａを貫通しており、その回転軸８ｂの突出部に出力ギア２０と回転板２１が取り付けられ、これらが回転軸８ｂによって回転駆動される。
【００４４】
回転板２１には、放射状に延びる多数のスリットが周方向に等角度間隔に設けられている。この回転板２１と検出センサ２２とによって回転数検出器２３が構成されている。この回転数検出器２３は、送りモータ８の回転角度及び回転数を検出するもので、側面壁部２ｄの内面に取り付けられている。検出センサ２２は、回転板２１の一部が挿入されるスリット状の切欠き溝２４ａを有するケース２４を備えている。このケース２４の回転板２１を挟んで両側に発光素子と受光素子が互いに対向するように設けられている。この発光素子から発射された光を回転板２１のスリットを介して受光素子で受光し、そのスリット間の遮光部により遮光される回数を検出センサ２２で測定することにより、送りモータ８の回転軸８ｂの回転角度と回転数を検出することができる。
【００４５】
送りモータ８の回転軸８ｂに固定された出力ギア２０には、駆動ギア２５が噛合されている。この駆動ギア２５は、送りネジ軸７に圧入等の固着手段により固定されて一体的に設けられている。送りネジ軸７は、送りモータ８の軸方向の長さよりもやや長く形成されており、モータ本体８ａよりも長く形成されたネジ部７ａと、このネジ部７ａの両側に連続された軸部７ｂ，７ｃとを有している。送りネジ軸７の両軸部７ｂ，７ｃはベースユニットシャーシ２に回転自在に支持されていて、一方の軸部７ｃのネジ部７ａ側に駆動ギア２５が嵌合されている。
【００４６】
この送りネジ軸７は、送りモータ８の下方に重ね合わされるように積層した状態で配置され、駆動ギア２５は出力ギア２０に噛合されている。この駆動ギア２５の一部は、図５９に示すように、ベースユニットシャーシ２に設けた開口窓２６から露出されている。送りネジ軸７のネジ部７ａには、断面形状が三角形をなす三角歯が軸心線方向に螺旋状に連続するように設けられている。この送りネジ軸７の内側には、軸心線が平行となるように一方のガイド軸３０が配置されている。このガイド軸３０の両端は、ベースユニットシャーシ２に係合されて支持されている。
【００４７】
ガイド軸３０は外周面が平滑にされた丸棒状の部材からなり、光学ピックアップ装置６のスライド部材に摺動自在に挿通されている。このガイド軸３０と対をなす他方のガイド軸であるサブガイド軸１４が、図６０及び図６５に示すように、ベースユニットシャーシ２の背面部に設けられている。
【００４８】
サブガイド軸１４は、背面壁部２ｃと一体に形成された丸棒状の部材からなり、側方に延びる連結部１４ａによって背面壁部２ｃに連続されている。このサブガイド軸１４はガイド軸３０と平行をなすように設けられていて、送りネジ軸７のネジ部７ａと略同じ長さに設定されている。このサブガイド軸１４とガイド軸３０とにガイドされて光学ピックアップ装置６が、ターンテーブル５に対して所定範囲内において接近及び離反可能とされている。
【００４９】
光学ピックアップ装置６は、図６３及び図６６に示すように、ガイド軸３０とサブガイド軸１４にガイドされて摺動するスライド部材３２と、このスライド部材３２に載置されて往復移動される光学ピックアップ５０等を備えて構成されている。スライド部材３２は、ガイド軸３０とサブガイド軸１４との間を跨ぐことができる大きさであって、剛性を高くするためブロック状に形成されている。このスライド部材３２の一側には、左右方向に対をなす軸受部３４ａ，３４ａが設けられており、各軸受部３４ａには横方向に貫通する孔が開口されている。これら軸受部３４ａ，３４ａにガイド軸３０が摺動自在に挿通されている。
【００５０】
スライド部材３２の他側には、背面側に突出された軸受部３４ｂが設けられている。この軸受部３４ｂには、背面側に開口された軸受溝３５が設けられている。この軸受溝３５には、サブガイド軸１４が摺動可能に係合されている。更に、軸受部３４ｂには板バネ３６が、固着手段の一具体例を示す取付ネジ・ナット３７によって取り付けられている。板バネ３６は、軸受溝３５とサブガイド軸１４との間に生ずるガタを吸収するためのもので、サブガイド軸１４の上面に圧接される押圧片３６ａを有している。この押圧片３６ａをサブガイド軸１４の上面に圧接することにより、軸受溝３５の下面がサブガイド軸１４の下面に押圧される。これにより、軸受溝３５とサブガイド軸１４との間のガタが吸収され、スライド部材３２の姿勢を一定に維持してスライド動作させることができる。
【００５１】
スライド部材３２の左右の軸受部３４ａ，３４ａ間には、図６３及び図６７に示すように、送りナット４０が取り付けられている。この送りナット４０は、送りネジ軸７のネジ部７ａに係合されるナット部４１と、このナット部４１を弾性的に支持する板状のバネ材によって形成された支持体４２とを有している。支持体４２は、ナット部４１を弾性的に支持する弾性片４２ａと、スライド部材３２の位置を検出するための位置検出片４２ｂとを有している。この支持体４２は、スライド部材３２の左右の軸受部３４ａ，３４ａ間の下面において固定ネジ４３でネジ止めされている。この支持体４２の固定部より外側には弾性片４２ａが突出され、その反対の内側には位置検出片４２ｂが突出されている。
【００５２】
送りナット４０のナット部４１には、外向きに突出された互いに平行をなす２個の係合歯４１ａ，４１ａが設けられている。２個の係合歯４１ａ，４１ａは、送りネジ軸７のネジ部７ａのネジ山を軸方向の両側から挟むようにして係合されるもので、そのネジ部７ａのリードに合わせて所定角度傾斜して形成されている。このような２個の係合歯４１ａ，４１ａを弾性片４２ａのバネ力でネジ部７ａに内側から圧接するようにして送りネジ軸７が、送りモータ８と重なり合うように組み立てられている。
【００５３】
このような組立状態において、図６０に示すように、ベースユニットサブシャーシ３がモータ収納部１３を覆うように重ね合わされている。そして、４個の取付ネジ４４によってベースユニットサブシャーシ３がベースユニットシャーシ２に取り付けられて固定されている。このとき、図６１及び図６４に示すように、送りネジ軸７とガイド軸３０は、ベースユニットサブシャーシ３によってそれぞれ押えられ、それぞれの軸受部から抜け止めされている。
【００５４】
ベースユニットサブシャーシ３は、図６０及び図６４に示すように、モータ収納部１３を覆う下面部３ａと、この下面部３ａの正面側に連続された正面壁部３ｂと、同じく側面側に連続された側面壁部３ｃとを有している。そして、側面壁部３ｃには、送りネジ軸７の一端を軸方向に押圧する押圧片４５が設けられている。この押圧片４５は、送りネジ軸７を常に軸方向の一方に付勢して軸方向に生じるガタを吸収し、送りモータ８の回転角及び回転数が正確に送りネジ軸７に伝達されるようにしている。更に、ベースユニットサブシャーシ３には、駆動ギア２５との干渉を避けるための開口窓４６が設けられている。
【００５５】
上述した送りネジ軸７と送りモータ８と出力ギア２０及び駆動ギア２５と送りナット４０とによってピックアップ移動機構が構成されている。このピックアップ移動機構の作動により光学ピックアップ装置６が、ターンテーブル５に対して接近又は離反するように往復移動される。光学ピックアップ装置６の光学ピックアップ５０は、対物レンズ５１を光学ディスクＤの情報記録面に臨ませる２軸アクチュエータを有する光学ヘッド５０ａと、この光学ヘッド５０ａを介して情報信号の記録及び再生を行う半導体レーザや光電変換素子等を有する光学制御部５０ｂ等を備えている。
【００５６】
図５７及び図６６等に示すように、光学ヘッド５０ａの大部分はヘッドカバー５２によって覆われており、このヘッドカバー５２に設けられた開口部５２ａから対物レンズ５１が露出されている。光学ピックアップ５０は、スライド部材３２の上面に取り付けられたプリント配線基板と電気的に接続されており、そのプリント配線基板には接続具５３が搭載されている。そして、接続具５３にはフレキシブル配線５４が接続され、このフレキシブル配線５４の他端が電源に接続されている。
【００５７】
また、図６６に示すように、モータベース板１５には、スライド部材３２が所定位置まで接近した状態を検出する位置検出センサ５５が設けられている。この位置検出センサ５５にはスリット状の検出部５５ａが設けられている。この検出部５５ａに支持体６９の位置検出片４２ｂが入り込むことにより、スライド部材３２が最もターンテーブル５に近づいた状態を知ることができる。この位置検出センサ５５でスライド部材３２を検出することにより、ピックアップ移動機構によるディスク半径方向内側への移動が停止される。この内側の停止位置が、光学ピックアップ装置６の初期設定位置となる。
【００５８】
上述したベースユニットシャーシ２、ベースユニットサブシャーシ３、ターンテーブル５、出力ギア２０及び駆動ギア２５の材質としては、例えば、ＡＢＳ樹脂、ポリアセタール（ＰＯＭ）、ポリカーボネート（ＰＣ）その他のエンジニアリングプラスチックが好適であるが、アルミニウム合金その他の金属を適用することもできる。また、スライド部材３２の材質としては、例えば、アルミニウム合金その他の金属が好適であり、ガイド軸３０、板バネ３６及び支持体４２の材質としては、例えば、ステンレス鋼その他の金属が好適であるが、エンジニアリングプラスチックその他の材料を適用することもできる。
【００５９】
図５７〜図６７に示すターンテーブル装置は、光学ディスクＤを保持するための後述するチャッキング部材を必要とすることなく、ターンテーブル５自体で光学ディスクＤを所定の力で保持して、所定の回転速度で光学ディスクＤを回転駆動することができるタイプのものである。しかしながら、後述するチャッキング部材を用いてディスクドライブ装置を構成できることは勿論である。
【００６０】
図５７〜図６７に示すターンテーブル５のディスク嵌合部５ａの直径は、光学ディスクＤの中心孔ｄの内径よりも若干小径とされていて、このディスク嵌合部５ａが中心孔ｄに対して出し入れ可能とされている。次に、図１〜図５６を参照して、各種形態を有するターンテーブル装置について説明する。
【００６１】
図１〜図１１は、本発明に係るターンテーブル装置の第１実施例を示すものである。この実施例で示すターンテーブル装置３００は、光学ディスクＤをターンテーブル９０とチャッキング部材２００とで両側から挟持して協働して保持し、その保持状態において所定の回転速度で光学ディスクＤを回転駆動するタイプのものである。この実施例で示すターンテーブル９０は、ディスク嵌合部５ａを形成するキャップ体９２と、ディスク支持部５ｂを形成するテーブル体９３とで構成されていて、そのキャップ体９２と一体にセンタリング部材９６が形成されている。
【００６２】
図１及び図２に示すように、キャップ体９２は、テーブル体９３の筒軸部６５ｃが嵌合されるボス部９２ａと、このボス部９２ａと同心状に形成された外筒部９２ｂと、ボス部９２ａと外筒部９２ｂとの間を連結する複数のリブ部９２ｃとを有し、隣り合うリブ部９２ｃ，９２ｃ間に合計３個のセンタリング部材９６が設けられている。３個のセンタリング部材９６は等角度間隔に配置されていて、他の部分よりも肉厚を薄くすることによって弾性を付与し、比較的容易に弾性変形を生じ得るように構成している。
【００６３】
各センタリング部材１６は、弾性部材の一具体例を示すコイルバネ５７によって常時半径方向外側にそれぞれ付勢されている。３個のコイルバネ５７の内側には、ターンテーブル５の回転速度に応じて増減変化して発生する遠心力を当該コイルバネ５７を介してセンタリング部材１６に作用させる３個の重り６０がそれぞれ配置されている。このようなセンタリング部材９６の内側に、それぞれ爪用凹部９５ａが設けられ、その内側に重り用凹部９５ｂが設けられている。そして、重り用凹部９５ｂには、重り９１が半径方向へ移動可能に収納されている。
【００６４】
更に、図３Ｂ及び図５Ｂに示すように、各センタリング部材９６は、キャップ体９２のボス部９２ａよりも長く形成されている。このセンタリング部材９６の先端部を収容するために、テーブル体９３の載置部９３ａには爪先収容穴９７が設けられている。この爪先収容穴９７にセンタリング部材９６の先端部を収容することにより、センタリング部材９６が外側へ大きく弾性変形するのを防止している。このとき、３個のセンタリング部材９６は、図３Ａ，Ｂ及び図４に示すように、キャップ体９２の外筒部９２ｂの外周面より少々外側へ突出しており、その３点を結ぶ円の直径は、光学ディスクＤの中心孔ｄの内径よりも若干大径とされている。
【００６５】
重り９１は、図１１Ａ〜Ｃに示すような構成を有している。即ち、重り９１は、扇形をなすベース部９１ａと、このベース部９１ａの扇の要側に形成された衝立部９１ｂとからなる。重り９１のベース部９１ａには、センタリング部材９６の先端部が挿通される挿通孔９８ａが設けられている。また、衝立部９１ｂには、ベース部９１ａ側に突出するバネ受け凸部９８ｂが設けられている。
【００６６】
重り９１は、重り用凹部６３ｂに対して衝立部９１ｂをキャップ体９２のボス部９２ａ側に配した状態で収納されている。この重り９１とセンタリング部材９６との間にコイルバネ５７が圧縮された状態で介在されている。コイルバネ５７の一端はセンタリング部材９６の内面に着座され、その他端は重り９１の衝立部９１ｂに設けたバネ受け凸部９８ｂに嵌合されている。このコイルバネ５７のバネ力によってセンタリング部材９６が常時半径方向外側に付勢されている。そして、センタリング部材９６の先端部は、重り９１の挿通孔９８ａを貫通してテーブル体９３の爪先収容穴９７に係合されている。このとき、センタリング部材１６の外面がキャップ体９２の外周面よりも適宜量だけ外側に突出されている。
【００６７】
また、図３Ｂ及び図５Ｂ等に示すように、キャップ体９２の上面の中央部には、鉄製の吸着板９９が取り付けられている。吸着板９９は、リング状をなす吸着部の一面に筒状の筒軸部９９ａを設けた形状とされている。その筒軸部９９ａをボス部９２ａに嵌合することにより、吸着板９９がキャップ体９２に一体的に固定されている。
【００６８】
このような構成を有するターンテーブル９０に対して、上下方向に対向するようにチャッキング部材２００が設けられている。チャッキング部材２００は、ターンテーブル９０に対応した大きさを有する円盤状の部材からなり、ディスク支持部５ｂと同程度の大きさを有する挟持部２００ａが設けられている。図８及び図１０等に示すように、チャッキング部材２００の挟持部２００ａの中央部には、ターンテーブル９０のディスク嵌合部５ａが嵌合される凹陥部２０１が設けられている。
【００６９】
チャッキング部材２００の凹陥部２０１内には、吸着板９９を吸着するマグネット２０２とヨーク板２０３とが収納されている。マグネット２０２とヨーク板２０３は、互いに密着されていると共に、接着剤等の固着手段によって凹陥部２０１内に固定されている。このマグネット２０２の磁力によって吸着板９９を吸着することにより、光学ディスクＤがターンテーブル９０とチャッキング部材２００とで両面から挟持され、その結果、回転方向に一体化される。
【００７０】
このような構成を有するターンテーブル装置３００によれば、例えば、次のようにして光学ディスクＤを装着して固定することができる。まず、光学ディスクＤの外周縁の複数箇所を把持し、その中心孔ｄをターンテーブル９０のキャップ体９２（ディスク嵌合部５ａ）に合わせる。そして、光学ディスクＤを軽く押圧して３個のセンタリング部材９６を後退させ、それぞれのセンタリング部材９６を乗り越えさせて中心孔ｄの縁に係合させる。これにより、図３Ａ，Ｂ及び図４に示す状態から図５Ａ，Ｂ及び図６に示す状態に変化し、３個のセンタリング部材９６によって光学ディスクＤが略中央部にセンタリングされる。
【００７１】
このとき、光学ディスクＤは、ターンテーブル９０のキャップ体９２に設けた３個のセンタリング部材９６によってチャッキングされて略中央部に保持されているが、センタリング部材９６が光学ディスクＤの中心孔ｄの縁を半径方向外側に押す力は、センタリング部材９６自体が有する弾性に基づくバネ力と、コイルバネ５７のバネ力のみであり、それらのバネ力によって光学ディスクＤがセンタリング状態に保持されている。
【００７２】
この状態から、スピンドルモータ６６の作動を介してターンテーブル９０及びチャッキング部材２００がある速度で回転すると、その回転速度に応じた遠心力がセンタリング部材９６とコイルバネ５７と重り９１とにそれぞれ作用する。いま、センタリング部材９６及びコイルバネ５７の質量に比べて重り９１の質量が十分に大きいものとすると、図７及び図８に示すように、重り９１に作用する遠心力によってコイルバネ５７が圧縮され、そのコイルバネ５７の圧縮分だけセンタリング部材９６を押圧するコイルバネ５７のバネ力が増加する。このセンタリング部材９６の押圧力は光学ディスクＤをセンタリング位置に保持する力であるため、コイルバネ５７のバネ力の増加分は、光学ディスクＤに発生する遠心力を打ち消すように作用することになる。
【００７３】
更に、重り９１に作用する遠心力が増加すると、３個のセンタリング部材９６は光学ディスクＤの中心孔ｄによって半径方向外側への移動が制限されていて移動することがないため、コイルバネ５７が圧縮されてそのバネ力が増大する。そして、図９及び図１０に示すように、重り９１が囲い片７６の先端に当接すると、重り９１のそれ以上の移動が阻止される。これにより、コイルバネ５７が最小長さまで圧縮され、センタリング部材９６を押圧する力が最大となる。その結果、光学ディスクＤをセンタリング位置に保持する３個のセンタリング部材９６による保持力が最大となり、遠心力によって光学ディスクＤに作用する移動力によるズレを打ち消して、光学ディスクＤを当初のセンタリング位置に確実に保持することができる。
【００７４】
図１２〜図１８は、本発明に係るターンテーブル装置の第２実施例を示すものである。このターンテーブル装置３０１のターンテーブル１００が前記実施例に係るターンテーブル９０と異なる点は重り１０１のみである。その他のキャップ体９２、テーブル体９３、センタリング部材９６、吸着板９９及びコイルバネ５７は同一であるため、同一部分には同一の符号を付して、それらの説明を省略する。
【００７５】
重り１０１は、図１８Ａ〜Ｃに示すような構成を有している。重り１０１は、略扇形をなすベース部１０１ａと、このベース部１０１ａの扇の要側に一体に設けた衝立部１０１ｂとから構成されている。衝立部１０１ｂは、２つの仕切り片１０２ａ，１０２ａと、各仕切り片１０２ａから側方に突出した背面片１０２ｂ，１０２ｂと、各背面片１０２ｂ，１０２ｂの外側に連続された２つの外縁片１０２ｃ，１０２ｃとを有している。
【００７６】
また、重り１０１のベース部１０１ａには、センタリング部材９６の先端部が通過される爪先収容穴１０４が設けられている。そして、２つの仕切り片１０２ａ，１０２ａ間を結ぶ連結片１０３には、センタリング部材９６の内面に接触する押圧部１０５が設けられている。押圧部１０５は半球形の凸部とされており、センタリング部材９６との接触面積が小さくなるように考慮されている。
【００７７】
このような構成を有するターンテーブル１００によっても、前記第１実施例と同様の効果を得ることができる。図１４Ａ，Ｂ及び図１５は、ターンテーブル１００に光学ディスクＤを装着する前の状態を示すものである。コイルバネ５７の一端はキャップ体９２のボス部９２ａに着座され、その他端は重り１０１の連結片１０３の内面に着座されている。このコイルバネ５７のバネ力によって重り１０１の押圧部１０５がセンタリング部材９６の内面に圧接され、更にセンタリング部材９６が半径方向外側に押圧されている。このとき、センタリング部材９６の先端部がテーブル体９３の爪先収容穴９７の外縁に当接しており、これによりセンタリング部材９６の変形が阻止されている。
【００７８】
図１６Ａ，Ｂ及び図１７は、ターンテーブル１００に光学ディスクＤを装着した状態を示すものであり、光学ディスクＤの中心孔ｄの周縁には３個のセンタリング部材９６が圧接され、これにより光学ディスクＤがセンタリングされている。このとき、光学ディスクＤの中心孔ｄによって３個のセンタリング部材１６が、コイルバネ５７のバネ力に抗して半径方向内側に押し縮められる。これにより、コイルバネ５７に発生するバネ力によって光学ディスクＤがセンタリング状態に保持されている。
【００７９】
次に、チャッキング部材２００をターンテーブル１００に近づけ、そのチャッキング部材２００に内蔵されたマグネット２０２の磁力を吸着板９９に作用させる。これにより、マグネット２０２の磁力によってチャッキング部材２００がターンテーブル１００に吸着され、光学ディスクＤがチャッキング部材２００とターンテーブル１００とで挟持されて回転方向に一体化される。
【００８０】
この状態から、スピンドルモータ６６の作動を介してターンテーブル１００がある速度で回転すると、その回転速度に応じた遠心力が重り１０１とセンタリング部材９６とコイルバネ５７とに作用する。この場合、重り１０１の質量がセンタリング部材９６及びコイルバネ５７の質量に比べて十分に大きいため、重り１０１に作用する遠心力によってコイルバネ５７が更に圧縮され、そのコイルバネ５７の圧縮量の増加分だけセンタリング部材９６の押圧力が増加する。
【００８１】
このとき、光学ディスクＤの重心が真ん中に無くて偏心しているものとすると、その偏心位置において遠心力の影響が最大となり、その遠心力によって光学ディスクＤには、偏心方向に移動しようとする力が発生する。ところが、本実施例の場合には、遠心力の増加に応じて、光学ディスクＤを中央のセンタリング位置に保持しようとする３個のセンタリング部材９６の力が同様に増加するため、その保持力が遠心力の増加分を打ち消して、光学ディスクＤを当初のセンタリング位置に保持することができる。
【００８２】
更に、重り１０１に作用する遠心力が増加して、その遠心力がある値以上に増加すると、重り１０１の衝立部９１ｂの背面片１０２ａがキャップ体９２の囲い片７６に当接される。これにより、半径方向外側に向かう重り１０１の移動が阻止され、その重り１０１に作用する遠心力が更に大きくなっても、重り１０１がそれ以上半径方向外側に移動することが防止される。そのため、重り１０１の遠心力による影響を一定の押圧力以下に制限することができ、光学ディスクＤをセンタリング位置に保持しようとする力が必要以上に大きくなるのを防止することができる。
【００８３】
図１９〜図２６は、本発明に係るターンテーブル装置の第３実施例を示すものである。この第３実施例として示すターンテーブル装置３０２のターンテーブル１１０は、ディスク嵌合部５ａとディスク支持部５ｂをキャップ体１１２で形成すると共に、そのディスク支持部５ｂにセンタリング部材１１６を一体に設ける構成としたものである。重り１１１はキャップ体１１２の内部に収納されていて、キャップ体１１２に設けた爪用凹部１１５ａにセンタリング部材１１６が対向するように構成されている。
【００８４】
キャップ体１１２は、テーブル体１１３の筒軸部６５ｃが嵌合されるボス部１１２ａと、このボス部１１２ａと同心状に形成された外筒部１１２ｂと、ボス部１１２ａと外筒部１１２ｂとの間を連結する複数のリブ部１１２ｃと、光学ディスクＤの中心孔ｄの周縁部が載置される載置部１１２ｄとを有している。
【００８５】
キャップ体１１２の隣り合うリブ部１１２ｃ，１１２ｃ間には、合計３つの爪用凹部１１５ａと重り用凹部１１５ｂが設けられている。爪用凹部１１５ａと重り用凹部１１５ｂの間には、所定間隔をあけて対向された２つの囲い片７６，７６が設けられており、その囲い片７６間にコイルバネ５７がそれぞれ介在されている。そして、各コイルバネ５７の一端は重り用凹部１１５ｂ内に収納された重り１１１に着座され、その他端はセンタリング部材１１６に着座されている。
【００８６】
図２１〜図２５に示すように、３個のセンタリング部材１１６は、キャップ体１１２の載置部１１２ｄから外筒部１１２ｂに亘る部分をコ字状に切り欠くことによって形成されている。センタリング部材１１６は、先端側である外筒部１１２ｂ側に形成された係合部１１６ａと、クッション材７８が取り付けられる固定側に形成されたアーム部１１６ｂとから構成されている。アーム部１１６ｂは、他の部分よりも薄く形成することによって弾性を付与し、比較的容易に弾性変形をなし得るように考慮されている。係合部１１６ａはくさびのような形状とされており、中央孔ｄと接触する外周部が、外筒部１１２ｂの外周面よりも少々外側へ突出するように形成されている。また、テーブル体１１３のセンタリング部材１１６と対応する部分には、アーム部１１６ｂの変形を許容するための逃がし穴１１７が設けられている。
【００８７】
重り１１１は、図２６Ａ〜Ｃに示すような構成を有している。即ち、重り１１１は、扇の要部分を切除したような円弧状のブロック体からなり、その円弧側の一面には、コイルバネ５７の一端が着座される切欠き部１１１ａが設けられている。そして、切欠き部１１１ａの中央には、コイルバネ５７の一端が係合されるバネ受け突起１１１ｂが形成されている。この重り１１１は、重り用凹部１１５ｂ内において半径方向へ移動可能に収納されており、この重り１１１とセンタリング部材１１６との間にコイルバネ５７が掛け渡されている。
【００８８】
このような構成を有するターンテーブル１１０を備えたターンテーブル装置３０２によっても、前記第１及び第２実施例と同様の効果を得ることができる。図２１Ａ，Ｂは、ターンテーブル１１０に光学ディスクＤを装着する前の状態を示すものである。コイルバネ５７の一端は重り１１１に着座され、その他端はセンタリング部材１１６に着座されている。このコイルバネ５７のバネ力によってセンタリング部材１１６が半径方向外側に押圧されている。
【００８９】
図２２Ａ，Ｂ及び図２３は、ターンテーブル１１０に光学ディスクＤを装着した状態を示すものであり、光学ディスクＤの中心孔ｄの周縁には３個のセンタリング部材１１６が圧接され、これにより光学ディスクＤがセンタリングされている。このとき、光学ディスクＤの中心孔ｄによって３個のセンタリング部材１１６が、コイルバネ５７のバネ力に抗して半径方向内側に押し縮められ、これによりコイルバネ５７に発生するバネ力によって光学ディスクＤがセンタリング状態に保持されている。
【００９０】
その後、チャッキング部材２００をターンテーブル１００に近づけて内蔵されたマグネット２０２の磁力を吸着板９９に作用させることにより、マグネット２０２の磁力によってチャッキング部材２００をターンテーブル１１０に吸着させる。これにより、光学ディスクＤがチャッキング部材２００とターンテーブル１１０とで挟持され、回転方向に一体とされる。
【００９１】
この状態から、スピンドルモータ６６の作動を介してターンテーブル１１０がある速度で回転すると、その回転速度に応じた遠心力が重り１１１とセンタリング部材１１６とコイルバネ５７とにそれぞれ作用する。その結果、３組の重り１１１に作用する遠心力によってコイルバネ５７が更に圧縮され、そのコイルバネ５７の圧縮量の増加分だけセンタリング部材１１６の押圧力がそれぞれ増加する。
【００９２】
これにより、光学ディスクＤの重心が真ん中に無くて偏心しているために遠心力によって光学ディスクＤに偏心方向に移動しようとする力が発生しても、本実施例の場合には、遠心力の増加に応じて光学ディスクＤを中央のセンタリング位置に保持しようとする力が同様に増加する。そのため、３個のセンタリング部材１１６による保持力が遠心力の増加分を打ち消し、光学ディスクＤを当初のセンタリング位置にしっかりと確実に保持することができる。
【００９３】
図２７〜図３３は、本発明に係るターンテーブルの第４実施例を示すものである。この第４実施例として示すターンテーブル装置３０３のターンテーブル１２０は、第３実施例として説明したターンテーブル１１０の一部を変形したものであり、コイルバネ５７のバネ力を重り１２１を介してセンタリング部材１１６に伝達するように構成したものである。このターンテーブル１２０が前記第３実施例に係るターンテーブル１１０と異なる点は、重り１２１とキャップ体１２２だけである。その他のセンタリング部材１１６、テーブル体１２３及びコイルバネ５７は同一であるため、同一部分には同一の符号を付して重複する説明は省略する。
【００９４】
重り１２１は、図３３Ａ〜Ｃに示すような構成を有している。即ち、重り１２１は、前記実施例に示す重り１１１と略同様の構成を有しており、扇の要部分を切除したような円弧状のブロック体からなる点では共通するが、異なるところは、コイルバネ５７の一端が着座されるバネ受け部を設け、そのバネ受け部の先端に、センタリング部材１１６に当接される押圧部１２５を設けた点である。即ち、重り１２１には、円弧面側に突出すると共に断面形状がコ字状をなすバネ受け部１２１ａと、このバネ受け部１２１ａとの間に所定の隙間をあけた外縁片１２１ｂ，１２１ｂとが設けられている。
【００９５】
このような重り１２１の形状に対応してキャップ体１２２には、図３１及び図３２に示すように、バネ受け部１２１ａが摺動可能に挿入される隙間が２つの囲い片７６，７６の間に設けられている。そして、２つの囲い片７６，７６は、重り１２１のバネ受け部１２１ａの外側に設けられた隙間に挿入可能とされている。
【００９６】
この第４実施例では、図２９〜図３２に示すように、重り１２１とキャップ体１２２との間にコイルバネ５７が介在されていて、そのコイルバネ５７の一端が重り１２１のバネ受け部１２１ａに着座され、その他端がキャップ体１２２のボス部１２２ａに着座されているため、重り１２１に発生する遠心力をセンタリング部材１２６に直接作用させることができる。そのため、３個の重り１２１に発生する遠心力の大きさに応じてセンタリングの強さを増減変化させることができ、常に最適な力で光学ディスクＤを中心位置に保持することができる。しかも、重り１２１に発生する遠心力がある値を超えると、重り１２１が囲い片７６に当接してそれ以上に大きな遠心力がセンタリング部材１２６に加えられるのを防止することができる。
【００９７】
上述した実施例では、センタリング部材をターンテーブル５のテーブル嵌合部５ａ又はテーブル支持部５ｂと一体に設けた例について説明したが、以下には、センタリング部材をターンテーブルとは別体に設け、そのセンタリング部材をターンテーブルに摺動自在に保持した実施例について説明する。この場合においても、センタリング部材の数は３個の限定されるものではなく、２個又は４個以上であってもよいことは勿論である。また、以下の実施例に係る図面においては、チャッキング部材及び吸着板を省略し、これらを図示しないで説明するが、ターンテーブルとチャッキング部材とが協働してディスクを保持する点は、前記実施例と同様である。また、チャッキング部材の構成は、上述した実施例のものに限定されないことは勿論である。
【００９８】
図３４〜図４０は、本発明に係るターンテーブル装置の第５実施例を示すものである。図３４及び図３５に示すように、第５実施例に係るターンテーブル装置のターンテーブル５のテーブル嵌合部５ａには、３個のセンタリング部材１６が周方向へ等角度間隔に配置されている。各センタリング部材１６は、テーブル嵌合部５ａとは別個の独立した部材によって形成されており、弾性部材の一具体例を示すコイルバネ５７によって常時半径方向外側にそれぞれ付勢されている。３個のコイルバネ５７の内側には、ターンテーブル５の回転速度に応じて増減変化して発生する遠心力を当該コイルバネ５７を介してセンタリング部材１６に作用させる３個の重り６０がそれぞれ配置されている。
【００９９】
図３５及び図３９Ａ〜Ｄに示すように、センタリング部材１６は、球体の略１／４の形状をなすと共に半円形の上面と背面を有する爪部１６ａと、この爪部１６ａの背面側の下部に連続して形成されたストッパ部１６ｂと、爪部１６ａの上面に設けたガイド部１６ｃと、爪部１６ａの背面に設けたバネ受け凸部１６ｄとから構成されている。センタリング部材１６の爪部１６ａの曲面には、光学ディスクＤの中心孔ｄの周縁が係合される。ストッパ部１６ｂは、正面から見た形状が四角形をなしており、爪部１６ａの下部両側に張り出すように形成されている。
【０１００】
センタリング部材１６のガイド部１６ｃは、爪部１６ａの上面中央部において前後方向へ延在するように形成されていて、その先端部には前側に傾斜された案内面１６ｅが設けられている。また、バネ受け凸部１６ｄは、爪部１６ａの背面の略中央部に設けられており、このバネ受け凸部１６ｄにはコイルバネ５７の一端が係合される。
【０１０１】
図３５及び図４０Ａ〜Ｃに示すように、重り６０は、平面形状がコ字状をなすブロック状の部材によって形成されている。即ち、重り６０は、コイルバネ５７の他端が着座される背面部６０ａと、この背面部６０ａの両側に連続する側面部６０ｂ，６０ｂとからなり、背面部６０ａにはコイルバネ５７の高さを一定に保持する段部６０ｃが設けられている。重り６０の材質としては、比重の大きな金属材料が好適であるが、比較的比重の大きなエンジニアリングプラスチックを用いることもできる。また、センタリング部材１６の材質としては、ある程度の強度と剛性を有するエンジニアリングプラスチックが好適であるが、金属その他の材料を用いることもできる。
【０１０２】
このような形状及び構成を有するセンタリング部材１６とコイルバネ５７と重り６０とからなる３組の爪挟持部６１が、ターンテーブル５のテーブル嵌合部５ａに内蔵されて設けられている。そのため、テーブル嵌合部５ａの３箇所には、爪挟持部６１を収納するための爪収納部６３が設けられている。３つの爪収納部６３は、テーブル嵌合部５ａの周方向に等角度（１２０度）あけて配置されている。
【０１０３】
図３６Ａ〜Ｃに示すように、ターンテーブル５は、テーブル嵌合部５ａを形成するキャップ体６４と、ディスク支持部５ｂを形成するテーブル体６５とから構成されている。テーブル体６５は、円板状をなす載置部６５ａと、この載置部６５ａの外周縁に連続して一面側に突出形成された円筒状の側面部６５ｂと、載置部６５ａの内周縁に連続して他面側に突出形成された軸状の筒軸部６５ｃとから構成されている。筒軸部６５ｃにはスピンドルモータ６６の回転軸６６ａが嵌合固定されており、その回転軸６６ａと一体にテーブル体６５が回転駆動される。
【０１０４】
このテーブル体６５の筒軸部６５ｃをキャップ体６４の中央に設けたボス部６４ａの孔に嵌合することにより、キャップ体６４がテーブル体６５と一体的に結合されて固定されている。キャップ体６４には、３箇所に前記爪収納部６３が設けられており、各爪収納部６３にそれぞれ爪挟持部６１が収納されている。爪収納部６３は、キャップ体６４の側面部から上面部に渡って開口された爪突出穴６７を有する爪用凹部６３ａと、この爪用凹部６３ａの奥に形成された重り用凹部６３ｂとを有している。爪用凹部６３ａにはセンタリング部材１６が摺動可能に挿入され、重り用凹部６３ｂには重り６０が摺動可能に挿入されている。
【０１０５】
センタリング部材１６は、爪部１６ａを半径方向外側に向けた状態で爪用凹部６３ａ内に収納されている。このとき、センタリング部材１６の爪部１６ａは爪突出穴６７の側面開口部に出入り可能に係合され、ガイド部１６ｃは爪突出穴６７の上面開口部に摺動可能に係合される。また、重り６０は、重り用凹部６３ｂに対して背面部６０ａを半径方向内側に配した状態で収納されている。この重り６０とセンタリング部材１６との間にコイルバネ５７が圧縮された状態で介在されている。
【０１０６】
コイルバネ５７の一端はセンタリング部材１６のバネ受け凸部１６ｄに嵌合され、その他端は重り６０の背面部６０ａに着座されている。このコイルバネ５７のバネ力によってセンタリング部材１６が常時半径方向外側に付勢されている。これにより、爪部１６ａが爪突出穴６７の側面開口部を貫通し、その先端部がキャップ体６４の側面外周面から外側に突出されている。このとき、センタリング部材１６のストッパ部１６ｂがキャップ体６４の内面に当接することによってセンタリング部材１６の半径方向外側への移動が制限され、外側への脱落が防止されている。
【０１０７】
また、テーブル体６５の載置部６５ａには、摩擦抵抗の大きなゴム状弾性体やプラスチック等で形成されたクッション材６８が取り付けられている。このクッション材６８は、光学ディスクＤの中心孔ｄの周縁部を弾性的に支持すると共に、３個のセンタリング部材１６の押圧力を受けて光学ディスクＤの滑りを防止し、光学ディスクＤをターンテーブル５と一体的に回転させる。即ち、３個のセンタリング部材１６によって光学ディスクＤがターンテーブル５の中央部にセット（センタリング）され、そのセンタリング状態において光学ディスクＤがターンテーブル５にチャッキングされる。
【０１０８】
一方、３個のセンタリング部材１６を、それぞれコイルバネ５７のバネ力に抗してディスク嵌合部５ａ内に押し込むことにより、３個のセンタリング部材１６による光学ディスクＤのチャッキングを解除することができる。このような光学ディスクＤのチャッキング及びその解除動作を容易にするため、センタリング部材１６の爪部１６ａの表面が球面とされ、また、ガイド部１６ｃの先端部には、適当な角度に傾斜された案内面１６ｅが設けられている。
【０１０９】
上述したような構成を有するターンテーブル装置３０４を備えたディスクドライブ装置１によれば、例えば、次のようにして光学ディスクＤの再生及び／又は記録操作を行うことができる。まず、ターンテーブル５に光学ディスクＤを装着する。この作業は、次のようにして行うことができる。例えば、光学ディスクＤの外周縁の複数箇所を把持し、その中心孔ｄをターンテーブル５のディスク嵌合部５ａに合わせる。そして、光学ディスクＤを軽く押圧して３個のセンタリング部材１６を後退させ、それぞれの爪部１６ａを乗り越えさせて中心孔ｄの縁に係合させる。これにより、それぞれの先端部が中心孔ｄの縁に係合された３個の爪部１６ａにより、光学ディスクＤが略中央部にセンタリングされ、そのセンタリング状態でチャッキングされて確実に固定される。
【０１１０】
その後、図示しないチャッキング部材を光学ディスクＤの上方に対向させ、チャッキング部材をターンテーブル５に近づけて内蔵されたマグネットの磁力を吸着板に作用させる。そして、マグネットの磁力によってチャッキング部材をターンテーブル５に吸着させることにより、光学ディスクＤをチャッキング部材とターンテーブル５とで挟持して、回転方向に一体とすることができる。
【０１１１】
次に、スピンドルモータ６６を駆動することにより、ターンテーブル５と一体に光学ディスクＤを回転させる。これと同時に又はその後に続いて、ピックアップ移動機構の送りモータ８を駆動し、光学ピックアップ装置６を初期位置に設定するように動作する。このとき、送りモータ８の回転力は、出力ギア２０から駆動ギア２５を介して送りネジ軸７に伝達され、送りモータ８の回転角度又は回転数に対応した角度又は回転数だけ送りネジ軸７が回転駆動される。
【０１１２】
その結果、送りネジ軸７の回転によって送りナット４０が送りネジ軸７の軸方向に移動する。そして、スライド部材３２がターンテーブル５の所定位置まで近づくと、位置検出片４２ｂが位置検出センサ５５によって検出される。これにより、ピックアップ移動機構の動作が停止され、この停止位置が光学ピックアップ装置６の初期位置となる。この状態を経て、情報信号の再生又は記録動作が実行される。
【０１１３】
即ち、ピックアップ移動機構の作動によってスライド部材３２が光学ディスクＤの半径方向内側から半径方向外側へ移動する。このとき、光学ピックアップ５０から発射されたレーザ光が、光学ヘッド５０ａの対物レンズ５１から光学ディスクＤの情報記録面に向けて照射される。その結果、再生時には、情報記録面に照射されたレーザ光によって予め記録されている情報信号が読み出され、その情報信号に基づいて再生動作が行われる。また、記録時には、情報記録面に照射されたレーザ光によって情報信号が書き込まれ、記録動作が行われる。
【０１１４】
この場合、ターンテーブル５のディスク嵌合部５ａに設けた３個のセンタリング部材１６によって光学ディスクＤがチャッキングされて保持されているが、その光学ディスクＤには回転速度に応じた遠心力が作用している。通常、光学ディスクＤの重心がその回転中心に一致していることは稀であり、その重心が回転中心からズレ手居るのが一般的である。また、光学ディスクＤの中心孔ｄの直径とディスク嵌合部５ａの外径との間には隙間があるため、回転時に発生する遠心力によって光学ディスクＤの偏心量が増加することがある。
【０１１５】
近年、この種のディスクドライブ装置１が用いられている記録再生装置や撮像装置等の電子機器において、情報信号の読み出し及び書き込みのための処理速度の高速化の要望が高く、そのために光学ディスクＤの回転速度の高速化が図られている。
ところが、回転速度の高速化に対応すべくターンテーブル５の回転速度を高めると、回転駆動される光学ディスクＤの回転速度の増加に応じて発生する遠心力も増大する。そのため、遠心力の増大に伴って光学ディスクＤの偏心量が増加し、その結果、光学ピックアップ装置６による情報信号の読み出しや書き込みに不良が発生する機会が多くなるという問題点が生ずることになる。
【０１１６】
これに対して、本願発明によれば、ターンテーブル５の回転速度の高速化によって光学ディスクＤに発生する遠心力が大きくなると、その遠心力が重りからセンタリング部材１６に作用して光学ディスクＤを保持する力を増大させる。そのため、光学ディスクＤに発生する遠心力に抗してセンタリング部材１６による保持力を増大させ、光学ディスクＤのセンタリング状態を保持して遠心力による偏心を防止することができる。これにより、光学ピックアップ装置６による情報信号の読み出しや書き込み不良の発生を防止し、情報信号の確実な読み書きを実現することができる。
【０１１７】
これを詳しく説明すると、次のようなことである。図３６Ｃは、ターンテーブル５に光学ディスクＤを装着した状態を示すものであり、光学ディスクＤの中心孔ｄの外側の縁には３個のセンタリング部材１６の各爪部１６ａが圧接され、光学ディスクＤがセンタリングされている。そして、ターンテーブル５の回転前においては、コイルバネ５７のバネ力によって重り６０は、ディスク嵌合部５ａにおける重り用凹部６３ｂの最も奥の位置、即ち半径方向内側に位置している。このとき、センタリング部材１６が光学ディスクＤの中心孔ｄの縁を半径方向外側に押す力は、コイルバネ５７のバネ力のみであり、そのバネ力によって光学ディスクＤがセンタリング状態に保持されている。
【０１１８】
この状態から、スピンドルモータ６６の作動を介してターンテーブル５がある速度で回転すると、その回転速度に応じた遠心力がセンタリング部材１６とコイルバネ５７と重り６０とに作用する。いま、センタリング部材１６及びコイルバネ５７の質量に比べて重り６０の質量が十分に大きいものとすると、図３７に示すように、重り６０に作用する遠心力によってコイルバネ５７が圧縮され、そのコイルバネ５７の圧縮分だけセンタリング部材１６の押圧力が増加する。このセンタリング部材１６の押圧力は、光学ディスクＤをセンタリング位置に保持する力であるため、その押圧力の増加分は、光学ディスクＤに発生する遠心力を打ち消すように作用することになる。
【０１１９】
更に、重り６０に作用する遠心力が増加して、その遠心力がコイルバネ５７のバネ力よりも大きくなると、重り６０の左右の側面部６５ｂ，６５ｂにおける外側端面がセンタリング部材１６のストッパ部１６ｂに当接される。これにより、図３８Ａ，Ｂに示すように、コイルバネ５７が最小長さまで圧縮され、センタリング部材１６を押圧する力が最大となる。これにより、光学ディスクＤをセンタリング位置に保持するセンタリング部材１６による保持力が最大となり、光学ディスクＤに発生する遠心力を打ち消して、光学ディスクＤを当初のセンタリング位置に確実に保持することができる。
【０１２０】
図４１〜図４８は、本発明に係るターンテーブル装置の第６実施例を示すものである。この第６実施例に示すターンテーブル装置のターンテーブル７０が前記第５実施例に係るターンテーブル５と異なる点は重り７１とキャップ体７２とテーブル体７３である。その他のセンタリング部材１６及びコイルバネ５７は同一であるため、それらの重複した説明は省略する。
【０１２１】
重り７１は、図４７及び図４８Ａ〜Ｃに示すような構成を有している。即ち、重り７１は、略扇形をなすベース部７１ａと、このベース部７１ａの扇の要側に一体に設けた衝立部７１ｂとから構成されている。ベース部７１ａは、ウェイトとしての働きを主とするもので、十分に大きな遠心力が得られるよう空間的に大きな面積を確保できる形状とされている。衝立部７１ｂは、重り７１に作用する遠心力の方向と直交する方向に延在された背面片７４ａと、この背面片７４ａの外側に連続されると共に当該背面片７４ａと直交する方向に延在された２つの仕切り片７４ｂ，７４ｂと、これら仕切り片７４ｂ，７４ｂの外側に所定の隙間をあけて設けた２つの外縁片７４ｃ，７４ｃとからなる。２つの仕切り片７４ｂ，７４ｂの間には段部７４ｄが設定されており、背面片７４ａの中央部において段部７４ｄより上方にコイルバネ５７の一端が着座される。
【０１２２】
このような形状を有する重り７１に適応させるべくキャップ体７２には、重り７１の形状に対応した３つの爪収納部７５が設けられている。爪収納部７５は、センタリング部材１６が摺動自在に収納される爪用凹部７５ａと、重り７１の衝立部７１ｂが摺動自在に収納される重り用凹部７５ｂとからなる。爪用凹部７５ａは、重り用凹部７５ｂ内に突出する２つの囲い片７６，７６によって形成されている。２つの囲い片７６，７６の間には、衝立部７１ｂの２つの仕切り片７４ｂ，７４ｂが摺動可能に挿入される。このとき、重り７１のベース部７１ａは、キャップ体７２の開口側下部に設けたスリット状の切欠き部７２ａを貫通して半径方向外側に突出されている。
【０１２３】
このベース部７１ａの出っ張りを吸収するため、テーブル体７３の載置部７３ａには、円形をなす凹陥部７７が設けられている。そして、凹陥部７７の半径方向外側のリング状の領域に、幅の狭いクッション材７８が取り付けられている。このクッション材７８に光学ディスクＤの中心孔ｄの周縁部が載置される。
【０１２４】
このような構成を有するターンテーブル７０を備えたターンテーブル装置３０５によっても、前記実施例と同様の効果を得ることができる。図４４Ｃは、ターンテーブル５に光学ディスクＤを装着した状態を示すものであり、光学ディスクＤの中心孔ｄの外側の縁には３個のセンタリング部材１６の各爪部１６ａが圧接され、光学ディスクＤがセンタリングされている。そして、ターンテーブル５の回転前においては、コイルバネ５７のバネ力によって重り７１は、ディスク嵌合部５ａにおける重り用凹部７５ｂの最も奥の位置、即ち半径方向内側に位置しており、キャップ体７２のボス部７２ａに当接されている。
【０１２５】
このとき、センタリング部材１６が光学ディスクＤの中心孔ｄの縁を半径方向外側に押す力は、コイルバネ５７のバネ力のみであり、そのバネ力によって光学ディスクＤがセンタリング状態に保持されている。この状態から、スピンドルモータ６６の作動を介してターンテーブル７０がある速度で回転すると、その回転速度に応じた遠心力がセンタリング部材１６とコイルバネ５７と重り７１とに作用する。
【０１２６】
この場合、本実施例における重り７１は、センタリング部材１６及びコイルバネ５７の質量に比べて十分に大きく設定されている。そのため、図４５Ａ，Ｂに示すように、重り７１に作用する遠心力によってコイルバネ５７が圧縮され、そのコイルバネ５７の圧縮分だけセンタリング部材１６の押圧力が増加する。このセンタリング部材１６の押圧力は、光学ディスクＤをセンタリング位置に保持する力であるため、その押圧力の増加分は、光学ディスクＤに発生する遠心力を打ち消すように作用する。
【０１２７】
更に、重り７１に作用する遠心力が増加して、その遠心力がコイルバネ５７のバネ力よりも大きくなると、図４６Ａ，Ｂに示すように、重り７１の衝立部７１ｂにおける半径方向外側の端面が囲い片７６の端面に当接される。これにより、重り７１の半径方向外側に向かう移動が阻止され、重り７１に作用する遠心力が更に大きくなっても重り７１がそれ以上半径方向外側に移動することがない。そのため、重り７１の遠心力による影響を一定の押圧力以下に制限することができ、光学ディスクＤをセンタリング位置に保持する力が必要以上に大きくなるのを防止することができる。
【０１２８】
図４９は、本発明に係るターンテーブル装置の第７実施例を示すもので、図４１〜図４８に示した第６実施例の変形例である。この第７実施例に示すターンテーブル装置のターンテーブル１５０が前記第６実施例に係るターンテーブル５と異なる点は重り１５１のみである。その他の構成は同一であるため、それらの重複した説明は省略する。
【０１２９】
ターンテーブル１５０の重り１５１は、第７実施例に示すターンテーブル７０の重り７１のベース部７１ａを大きく形成し、遠心力によって半径方向外側へ移動する重り１５１が囲い片７６に当接しないように構成したものである。
【０１３０】
この第７実施例によれば、重り１５１に作用する遠心力が増加して、その遠心力がコイルバネ５７のバネ力よりも大きくなると、図４９Ａ，Ｂに示すように、重り１５１の衝立部７１ｂにおける半径方向外側の端面が囲い片７６の端面に当接されることなく、重り１５１がそのまま半径方向外側に押圧される。そのため、重り１５１に発生する遠心力をコイルバネ５７を介してセンタリング部材１２６に作用させることができる。その結果、３個の重り１５１に発生する遠心力の大きさに応じてセンタリングの強さを増減変化させることができ、常に最適な力で光学ディスクＤを中心位置に保持することができる。しかも、遠心力の増加に応じてセンタリング部材１６の係合力を比例的に且つ無限に増加させることができ、光学ディスクＤをセンタリング位置にしっかりと確実に保持することができる。
【０１３１】
図５０〜図５６は、本発明に係るターンテーブル装置の第８実施例を示すものである。この第８実施例として示すターンテーブル装置のターンテーブル８０は、重り８１とキャップ体７２との間にコイルバネ５７を介在させ、重り８１に作用する遠心力を、重り８１からセンタリング部材１６に直接伝達するように構成したものである。このターンテーブル８０が前記第６実施例に係るターンテーブル７０と異なる点は、重り８１だけである。その他のセンタリング部材１６、コイルバネ５７、キャップ体７２及びテーブル体７３は同一であるため、それらの重複した説明は省略する。
【０１３２】
重り８１は、図５５及び図５６Ａ〜Ｃに示すような構成を有している。即ち、重り８１は、略扇形をなすベース部８１ａと、このベース部８１ａの扇の要側に一体に設けた衝立部８１ｂとから構成されている。ベース部８１ａは、ベース部７１ａと同様であり、ウェイトとしての働きを主とするもので、十分に大きな遠心力が得られるよう空間的に大きな面積を確保できる形状とされている。衝立部８１ｂは、２つの仕切り片８４ｂ，８４ｂと、これら仕切り片８４ｂ，８４ｂの外側に所定の隙間をあけて設けた２つの外縁片８４ｃ，８４ｃとを有する点では共通するが、異なるところは、背面片８４ａの中央の片を廃止して２つの仕切り片８４ｂ，８４ｂの半径方向外側にバネ受け片８５を設けた点である。
【０１３３】
この第８実施例では、図５３Ａ，Ｂに示すように、重り８１とキャップ体７２との間にコイルバネ５７が介在されていて、そのコイルバネ５７の一端は重り８１の衝立部８１ｂにおけるバネ受け片８５の内面に着座され、その他端はキャップ体７２のボス部７２ａの外面に着座されている。そして、ボス部７２ａの外周面には平面部が設けられており、その平面部にコイルバネ５７の一端を着座することによってコイルバネ５７の滑りを防止している。
【０１３４】
光学ディスクＤの着脱作業は、例えば、次のようにして行うことができる。まず、光学ディスクＤの外周縁の複数箇所を把持して、その中心孔ｄをターンテーブル５のディスク嵌合部５ａに合わせ、光学ディスクＤを軽く押圧して３個のセンタリング部材１６を後退させ、それぞれの爪部１６ａを乗り越えさせて中心孔ｄの縁に係合させる。これにより、それぞれの先端部が中心孔ｄの縁に係合された３個の爪部１６ａにより、光学ディスクＤが略中央部にセンタリングされ、そのセンタリング状態でチャッキングされて確実に固定される。
【０１３５】
このとき、３箇所の爪挟持部６１においては、図５４Ａ，Ｂに示すように、コイルバネ５７のバネ力に抗してセンタリング部材１６が所定量だけ後退動作される。そのため、重り８１がボス部７２ａと囲い片７６との間に適当な隙間をあけて保持される。その後、ターンテーブル８０が回転駆動されて重り８１に遠心力が発生すると、その重り８１の遠心力によってセンタリング部材１６が半径方向外側に押圧される。これにより、３個のセンタリング部材１６の押圧力がともに増加され、光学ディスクＤをセンタリング位置に保持する力が増大される。そのため、光学ディスクＤを常に最適な力で中心位置に保持することができる。
【産業上の利用可能性】
【０１３６】
前記実施例で説明したディスクドライブ装置１は、次のような電子機器に使用することができる。例えば、ＣＤプレーヤー、ＤＶＤプレーヤー、ＣＤ−ＲＯＭドライブ装置、ＤＶＤドライブ装置、ＣＤ−Ｒドライブ装置、ＣＤ−ＲＷドライブ装置、その他各種のディスクドライブ装置として適用することができるものである。また、記録再生兼用のディスク記録再生装置に適用できることは勿論のこと、記録又は再生の一方のみが可能なディスク記録装置又はディスク再生装置に適用することができるものである。
【０１３７】
本発明は、前述した実施例に限定されるものではなく、例えば、前記実施例では弾性部材としてコイルバネを適用したが、板バネ、ゴム状弾性体その他のバネ材を用いることができる。このように、本発明は、その趣旨を逸脱しない範囲で種々変更できるものである。
【図面の簡単な説明】
【０１３８】
【図１】本発明のターンテーブル装置の第１実施例を示す外観斜視図である。
【図２】図１に示すターンテーブル装置のターンテーブルのディスク嵌合部の上部を断面して内部を現した説明図である。
【図３】図１に示すターンテーブル装置のターンテーブルを示すもので、同図Ａは正面図、同図Ｂは一部を断面した正面図である。
【図４】図１に示すターンテーブル装置のターンテーブルを示すもので、ディスク嵌合部の下半分を断面した平面図である。
【図５】図１に示すターンテーブル装置に光学ディスクを装着した状態を示すもので、同図Ａは正面図、同図Ｂは一部を断面した正面図である。
【図６】図１に示すターンテーブル装置のターンテーブルに光学ディスクを装着した状態を示すもので、ディスク嵌合部の下半分を断面した平面図である。
【図７】図１に示すターンテーブル装置に遠心力が働いて図６の状態から重りが半径方向外側に少々移動した状態を示すもので、ディスク嵌合部の下半分を断面した平面図である。
【図８】図１に示すターンテーブル装置に遠心力が働いて図６の状態から重りが半径方向外側に少々移動した状態を示す一部を断面した正面図である。
【図９】図１に示すターンテーブル装置に遠心力が働いて重りがキャップ体に接触した状態を示すもので、ディスク嵌合部の下半分を断面した平面図である。
【図１０】図１に示すターンテーブル装置に遠心力が働いて重りがキャップ体に接触した状態を示す一部を断面した正面図である。
【図１１】図１に示すターンテーブル装置のターンテーブルに使用されている重りを示すもので、同図Ａは斜視図、同図Ｂは平面図、同図Ｃは同図ＢのＳ−Ｓ線断面図である。
【図１２】本発明のターンテーブル装置の第２実施例を示す外観斜視図である。
【図１３】図１２に示すターンテーブルのディスク嵌合部の上部を断面して内部を現した説明図である。
【図１４】図１２のターンテーブルを示すもので、同図Ａは正面図、同図Ｂは一部を断面した正面図である。
【図１５】図１２のターンテーブルを示すもので、ディスク嵌合部の下半分を断面した平面図である。
【図１６】図１２のターンテーブル装置に光学ディスクを装着した状態を示すもので、同図Ａは正面図、同図Ｂは一部を断面した正面図である。
【図１７】図１２のターンテーブル装置に光学ディスクを装着した状態を示すもので、ディスク嵌合部の下半分を断面した平面図である。
【図１８】図１２のターンテーブルに使用されている重りを示すもので、同図Ａは斜視図、同図Ｂは平面図、同図Ｃは同図ＢのＴ−Ｔ線断面図である。
【図１９】本発明のターンテーブル装置の第３実施例を示す外観斜視図である。
【図２０】図１９に示すターンテーブルのディスク嵌合部の上部を断面して内部を現した説明図である。
【図２１】図１９のターンテーブルを示すもので、同図Ａは正面図、同図Ｂは一部を断面した正面図である。
【図２２】図１９のターンテーブル装置に光学ディスクを装着した状態を示すもので、同図Ａは正面図、同図Ｂは一部を断面した正面図である。
【図２３】図１９のターンテーブル装置に光学ディスクを装着した状態を示すもので、ディスク嵌合部の下半分を断面した平面図である。
【図２４】図１９のターンテーブル装置に遠心力が働いて図２３の状態から重りが半径方向外側に少々移動した状態を示すもので、同図Ａはディスク嵌合部の上部を断面した上半分の平面図、同図Ｂは一部を断面した正面図である。
【図２５】図１９のターンテーブル装置に遠心力が働いて重りがキャップ体に接触した状態を示すもので、同図Ａはディスク嵌合部の上部を断面した上半分の平面図、同図Ｂは一部を断面した正面図である。
【図２６】図１９のターンテーブルに使用されている重りを示すもので、同図Ａは斜視図、同図Ｂは平面図、同図Ｃは同図ＢのＶ−Ｖ線断面図である。
【図２７】本発明のターンテーブル装置の第４実施例を示す外観斜視図である。
【図２８】図２７に示すターンテーブルのディスク嵌合部の上部を断面して内部を現した説明図である。
【図２９】図２７のターンテーブルを示すもので、同図Ａは正面図、同図Ｂは一部を断面した正面図である。
【図３０】図２７のターンテーブルを示すもので、ディスク嵌合部の下半分を断面した平面図である。
【図３１】図２７のターンテーブル装置に光学ディスクを装着した状態を示すもので、同図Ａは正面図、同図Ｂは一部を断面した正面図である。
【図３２】図２７のターンテーブル装置に光学ディスクを装着した状態を示すもので、ディスク嵌合部の下半分を断面した平面図である。
【図３３】図２７のターンテーブルに使用されている重りを示すもので、同図Ａは斜視図、同図Ｂは平面図、同図Ｃは同図ＢのＵ−Ｕ線断面図である。
【図３４】本発明のターンテーブル装置の第５実施例を示す外観斜視図である。
【図３５】図３４に示すターンテーブルのディスク嵌合部の上部を断面して内部を現した説明図である。
【図３６】図３４のターンテーブルを示すもので、同図Ａはディスク嵌合部の下半分を断面した平面図、同図Ｂは正面図、同図Ｃは一部を断面した正面図である。
【図３７】図３４のターンテーブルに遠心力が働いて、図３６Ｃの状態から重りが半径方向外側に少々移動した状態の一部を断面した正面図である。
【図３８】図３４のターンテーブル装置に遠心力が働いて重りがセンタリング部材に接触した状態を示すもので、同図Ａはディスク嵌合部の下半分を断面した平面図、同図Ｂは一部を断面した正面図である。
【図３９】図３４のターンテーブルに使用されているセンタリング部材を示すもので、同図Ａは斜視図、同図Ｂは平面図、同図Ｃは正面図、同図Ｄは側面図である。
【図４０】図３４のターンテーブルに使用されている重りを示すもので、同図Ａは斜視図、同図Ｂは平面図、同図Ｃは同図ＢのＰ−Ｐ線断面図である。
【図４１】本発明のターンテーブル装置の第６実施例を示す外観斜視図である。
【図４２】図４１のターンテーブルに使用されているセンタリング部材と重りを示す説明図である。
【図４３】図４１に示すターンテーブルのディスク嵌合部の上部を断面して内部を現した説明図である。
【図４４】図４１のターンテーブルを示すもので、同図Ａはディスク嵌合部の下半分を断面した平面図、同図Ｂは正面図、同図Ｃは一部を断面した正面図である。
【図４５】図４１のターンテーブル装置に遠心力が働いて図４４Ｃの状態から重りが半径方向外側に少々移動した状態を示すもので、同図Ａはディスク嵌合部の上部を断面して内部を現した上半分の平面図、同図Ｂは一部を断面した正面図である。
【図４６】図４１のターンテーブル装置に遠心力が働いて重りがキャップ体に接触した状態を示すもので、同図Ａはディスク嵌合部の上部を断面して内部を現した上半分の平面図、同図Ｂは一部を断面した正面図である。
【図４７】図４１のターンテーブルに使用されている重りを示す斜視図である。
【図４８】図４１のターンテーブルに使用されている重りを示すもので、同図Ａは平面図、同図Ｂは正面図、同図Ｃは同図ＡのＱ−Ｑ線断面図である。
【図４９】本発明のターンテーブル装置の第７実施例を示すもので、同図Ａはターンテーブルの上半分の平面図、同図Ｂは一部を断面した正面図である。
【図５０】本発明のターンテーブル装置の第８実施例を示す外観斜視図である。
【図５１】図５０のターンテーブルに使用されているセンタリング部材と重りを示す説明図である。
【図５２】図５０に示すターンテーブルのディスク嵌合部の上部を断面して内部を現した説明図である。
【図５３】図５０のターンテーブルを示すもので、同図Ａはディスク嵌合部の上部を断面して内部を現した上半分の平面図、同図Ｂは一部を断面した正面図である。
【図５４】図５０のターンテーブル装置に遠心力が働いて重りがセンタリング部材に接触した状態を示すもので、同図Ａはディスク嵌合部の上部を断面して内部を現した上半分の平面図、同図Ｂは一部を断面した正面図である。
【図５５】図５０のターンテーブルに使用されている重りを示す斜視図である。
【図５６】図５０のターンテーブルに使用されている重りを示すもので、同図Ａは平面図、同図Ｂは正面図、同図Ｃは同図ＡのＲ−Ｒ線断面図である。
【図５７】本発明のターンテーブルが用いられているディスクドライブ装置の第１実施例を示す外観斜視図である。
【図５８】図５７に示すディスクドライブ装置の平面図である。
【図５９】図５７に示すディスクドライブ装置の正面図である。
【図６０】図５７に示すディスクドライブ装置の底面図である。
【図６１】図５７に示すディスクドライブ装置の底面図からベースユニットサブシャーシを取り除いた要部を拡大して示す説明図である。
【図６２】図５８に示すディスクドライブ装置の要部を断面した背面図である。
【図６３】図５８に示すディスクドライブ装置のＷ−Ｗ線断面図である。
【図６４】図５８に示すディスクドライブ装置のＸ−Ｘ線断面図である。
【図６５】図５８に示すディスクドライブ装置のＹ−Ｙ線断面図である。
【図６６】図５８に示すディスクドライブ装置のスピンドルモータ及び光学ピックアップ装置の平面図である。
【図６７】図５８に示すディスクドライブ装置のスピンドルモータ及び光学ピックアップ装置の正面図である。
【図６８】従来のターンテーブル装置を示す斜視図である。
【図６９】従来のターンテーブルのディスク嵌合部の上部を断面して内部を現した説明図である。
【図７０】従来のターンテーブルのディスク嵌合部の下半分を断面した平面図である。
【図７１】従来のターンテーブル装置のチャッキング部材の一部を断面した平面図である。
【図７２】従来のターンテーブル装置を示すもので、同図Ａはターンテーブルにチャッキング部材を装着する前の一部を断面した正面図、同図Ｂはターンテーブルにチャッキング部材を装着した後の一部を断面した正面図である。
【符号の説明】
【０１３９】
１  ディスクドライブ装置、  ４  スピンドルモータ、  ５，７０，８０，９０，１００，１１０，１２０，１３０，１４０  ターンテーブル、  ５ａ  ディスク嵌合部、  ５ｂ  ディスク支持部、  ６  光学ピックアップ装置（ピックアップ装置）、  １６，９６，１１６，１３２，１４２  センタリング部材、  ５０  光学ピックアップ、  ５７  コイルバネ（弾性部材）、  ６０，７１，８１，９１，１０１，１１１，１２１，１３１  重り、  ６１  爪挟持部、  ６３  爪収納部、  ６３ａ，７５ａ，９５ａ，１１５ａ  爪用凹部、  ６３ｂ，７５ｂ，９５ｂ，１１５ｂ  重り用凹部、  ６４，７２，９２，１１２，１２２  キャップ体、  ６５，７３，９３，１１３  テーブル体、  ６６  スピンドルモータ、  ７６  囲い片、  ９７，１０４  爪先収容穴、  ９９  吸着板、  ２００  チャッキング部材、  ２０２  マグネット、  ２０３  ヨーク板、  ３００，３０１，３０２，３０３，３０４  ターンテーブル装置、  Ｄ  光学ディスク（ディスク状記録媒体）、  ｄ  中心孔
【図１】
2006092669.tif 000003
【図２】
2006092669.tif 000004
【図３】
2006092669.tif 000005
【図４】
2006092669.tif 000006
【図５】
2006092669.tif 000007
【図６】
2006092669.tif 000008
【図７】
2006092669.tif 000009
【図８】
2006092669.tif 000010
【図９】
2006092669.tif 000011
【図１０】
2006092669.tif 000012
【図１１】
2006092669.tif 000013
【図１２】
2006092669.tif 000014
【図１３】
2006092669.tif 000015
【図１４】
2006092669.tif 000016
【図１５】
2006092669.tif 000017
【図１６】
2006092669.tif 000018
【図１７】
2006092669.tif 000019
【図１８】
2006092669.tif 000020
【図１９】
2006092669.tif 000021
【図２０】
2006092669.tif 000022
【図２１】
2006092669.tif 000023
【図２２】
2006092669.tif 000024
【図２３】
2006092669.tif 000025
【図２４】
2006092669.tif 000026
【図２５】
2006092669.tif 000027
【図２６】
2006092669.tif 000028
【図２７】
2006092669.tif 000029
【図２８】
2006092669.tif 000030
【図２９】
2006092669.tif 000031
【図３０】
2006092669.tif 000032
【図３１】
2006092669.tif 000033
【図３２】
2006092669.tif 000034
【図３３】
2006092669.tif 000035
【図３４】
2006092669.tif 000036
【図３５】
2006092669.tif 000037
【図３６】
2006092669.tif 000038
【図３７】
2006092669.tif 000039
【図３８】
2006092669.tif 000040
【図３９】
2006092669.tif 000041
【図４０】
2006092669.tif 000042
【図４１】
2006092669.tif 000043
【図４２】
2006092669.tif 000044
【図４３】
2006092669.tif 000045
【図４４】
2006092669.tif 000046
【図４５】
2006092669.tif 000047
【図４６】
2006092669.tif 000048
【図４７】
2006092669.tif 000049
【図４８】
2006092669.tif 000050
【図４９】
2006092669.tif 000051
【図５０】
2006092669.tif 000052
【図５１】
2006092669.tif 000053
【図５２】
2006092669.tif 000054
【図５３】
2006092669.tif 000055
【図５４】
2006092669.tif 000056
【図５５】
2006092669.tif 000057
【図５６】
2006092669.tif 000058
【図５７】
2006092669.tif 000059
【図５８】
2006092669.tif 000060
【図５９】
2006092669.tif 000061
【図６０】
2006092669.tif 000062
【図６１】
2006092669.tif 000063
【図６２】
2006092669.tif 000064
【図６３】
2006092669.tif 000065
【図６４】
2006092669.tif 000066
【図６５】
2006092669.tif 000067
【図６６】
2006092669.tif 000068
【図６７】
2006092669.tif 000069
【図６８】
2006092669.tif 000070
【図６９】
2006092669.tif 000071
【図７０】
2006092669.tif 000072
【図７１】
2006092669.tif 000073
【図７２】
2006092669.tif 000074